(57)【要約】【課題】  握り柄を立てても容易に倒れない自立式の洋服ブラシを提供すること。【解決手段】  上方に向けて縮経する略円錐筒状の握り柄２と、握り柄２の上部に立設され、前縁部３１に握り柄２の空洞と連通する開口３５が形成されるとともに、前縁部３１から後方に向けて、握り柄２の中心線に対してやや後方に傾斜して、後方に向けて凸に湾曲する背板部３２が形成されたブラシ台装着部３と、ブラシ台装着部３の開口縁に後方に傾斜して取り付けられ、左右方向中央部が周囲に比べて高くなるように前方に向けて凸に湾曲した台部４１を有するブラシ台部４と、ブラシ台部４に取り付けられ、左右方向中央部の毛先端面が周囲に比べて高いブラシ毛５２を有するブラシ体５とを備える。【選択図】    図１
2006075518.tif 000002
【特許請求の範囲】
【請求項１】
上方に向けて縮経する略円錐筒状の握り柄と、
前記握り柄の上部に立設され、前縁部に前記握り柄の空洞と連通する開口が形成されるとともに、前記前縁部から後方に向けて、前記握り柄の中心線に対してやや後方に傾斜して、後方に向けて凸に湾曲する背板部が形成されたブラシ台装着部と、
前記ブラシ台装着部の開口縁に後方に傾斜して取り付けられ、左右方向中央部が周囲に比べて高くなるように前方に向けて凸に湾曲した台部を有するブラシ台部と、
前記ブラシ台部に取り付けられ、左右方向中央部の毛先端面が周囲に比べて高いブラシ毛を有するブラシ体と
を備えた自立式洋服ブラシ。
【請求項２】
前記ブラシ体には導電性繊維からなるブラシ毛が含まれていることを特徴とする請求項１に記載の自立式洋服ブラシ。
【請求項３】
前記ブラシ毛には光触媒が固定されていることを特徴とする請求項１または２に記載の自立式洋服ブラシ。
【請求項４】
玄関先で使用することを特徴とする請求項１〜３のいずれかに記載の自立式洋服ブラシ。
【発明の詳細な説明】
【技術分野】
【０００１】
本発明は自立式の洋服ブラシに関する。
【背景技術】
【０００２】
衣服に付着した埃、糸くず等を払い落とすために洋服ブラシが用いられている。従来から、洋服ブラシは、握り柄と一体に形成されたブラシ台部と、このブラシ台部に固定されたブラシ毛等から構成されており、通常、握り柄に小さな貫通孔を形成して、この貫通孔を洋服タンス内に設けられたフックに引掛けることにより衣服とともに洋服タンス内に収納されている。
【０００３】
ところで、近年の花粉症が増加している事情の下では、帰宅時に玄関先で花粉を払い落とし、家の中に花粉を持ち込まないようにすることが花粉症の発症防止、症状緩和のために有効であるといわれている。しかしながら、上記従来の洋服ブラシを玄関先で使用する場合、履物の収納ケース内に収納したり、あるいは前記ケースの上面に横置きにする等の方法があるが、前者の方法では洋服ブラシの存在に気づきにくく、後者の方法では玄関先が雑然とするなどの問題点があった。
【０００４】
このため、例えば、収納ケースの上面などに立て置きできる洋服ブラシがあれば、玄関スペースを有効に活用でき、かつその存在に容易に気づくので非常に便利である。
【発明の開示】
【発明が解決しようとする課題】
【０００５】
本発明は上記問題点に鑑みてなされたものであり、その目的は、握り柄を立てても容易に倒れない自立式の洋服ブラシを提供することにある。
【課題を解決するための手段】
【０００６】
請求項１の自立式洋服ブラシは、上方に向けて縮経する略円錐筒状の握り柄と、前記握り柄の上部に立設され、前縁部に前記握り柄の空洞と連通する開口が形成されるとともに、前記前縁部から後方に向けて、前記握り柄の中心線に対してやや後方に傾斜して、後方に向けて凸に湾曲する背板部が形成されたブラシ台装着部と、前記ブラシ台装着部の開口縁に後方に傾斜して取り付けられ、左右方向中央部が周囲に比べて高くなるように前方に向けて凸に湾曲した台部を有するブラシ台部と、前記ブラシ台部に取り付けられ、左右方向中央部の毛先端面が周囲に比べて高いブラシ毛を有するブラシ体とを備えている。
【０００７】
請求項２の発明は、請求項１に記載の自立式洋服ブラシにおいて、前記ブラシ体には導電性繊維からなるブラシ毛が含まれていることを特徴とする。
【０００８】
請求項３の発明は、請求項１または２に記載の自立式洋服ブラシにおいて、前記ブラシ毛には光触媒が固定されていることを特徴とする。
【０００９】
請求項４の発明は、請求項１〜３のいずれかに記載の自立式洋服ブラシにおいて、玄関先で使用することを特徴とする。
【発明の効果】
【００１０】
本発明の自立式洋服ブラシによれば、ブラシ台装着部とブラシ台部がそれぞれ下部にある握り柄に対して後方に傾斜して設けられているので、握り柄を立てても容易に倒れない。
【発明を実施するための最良の形態】
【００１１】
次に、図面を参照しながら本発明を詳細に説明する。図１は本発明の一実施例を示す自立式洋服ブラシ（以下、単に「洋服ブラシ」という）の外観斜視図であり、図２は図１の洋服ブラシの分解斜視図である。洋服ブラシ１は、握り柄２、握り柄２の上部に立設されたブラシ台装着部３、ブラシ台装着部３に取り付けられたブラシ台部４及びブラシ台部４に取り付けられたブラシ体５等を備えている。
【００１２】
握り柄２は、上方に向けて縮径する略円筒状に形成されており、高さが約１１ｃｍ、下端部の直径が約５０ｍｍ、上端部の直径が約３０ｍｍに寸法設計されている。握り柄２は、使用するときに手に持って洋服をブラッシングするために使用され、使用しないときには、例えば、履物の収納ケースの天板等玄関先の平らな面に立てて置かれるものである。握り柄２の構成材料は合成樹脂であれば特に限定されないが、強度および透明性を高めるために、例えば、ポリカーボネート樹脂を用いることが好ましい。
【００１３】
ブラシ台装着部３は、握り柄２の上部に一体に立設され、前縁部３１には、握り柄２の空洞と連通して、やや後方に傾斜する略長円形状の開口３５が形成されるとともに、前縁部３１から後方に向けて、やや後方に傾斜して、後方に向けて凸に湾曲する背板部３２が形成されている。より具体的には、背板部３２は、図３に示すように、握り柄２の上下方向中心線に対してやや後方に傾斜しており、下部に向かうにしたがって湾曲の程度が大きくなるとともに、背面視で高さ約１１ｃｍ、幅約７ｃｍの略長円形状をなしている。
【００１４】
前縁部３１に形成された開口３５には、内部に向けて該開口３５と略同形状の周壁部３３が形成されるとともに、周壁部３３の上端部と左右端部の後端には、それぞれ周方向外側に向けて凹部３４が形成されている。
【００１５】
ブラシ台部４は、図２と図４に示すように、正面視で略長円形状をなし、左右方向中央部が周囲に比べて高くなるように前方に向けて凸に湾曲している台部４１と、台部４１と一体に形成され、台部４１の周縁を囲むように立設された周壁部４２とから概略構成されており、やや後方に傾斜して、ブラシ台装着部３の開口縁に取り付けられている。具体的には、周壁部４２の上端部、下端部及び左右端部の後端には、それぞれ周方向外側に向けて突片４３が形成されており、周壁部４２を前記周壁部３３に内嵌したときに、周壁部４２の上端部、下端部及び左右端部に形成された突片４３が周壁部３３の対応する凹部３４に嵌着し、これによりブラシ台部４がブラシ台装着部３の開口縁に取り付けられる（図５参照）。なお、ブラシ台部４の構成材料は、軽量性を確保するため合成樹脂であれば特に限定されないが、後述するブラシ体５を構成する基布５１の状態を隠すため、例えば、ＡＢＳ樹脂等の非透光性の合成樹脂を用いることが好ましい。
【００１６】
ブラシ体５は、ブラシ台部４の台部４１と略同形で長円形状の基布５１と、基布５１の片面に立設されたブラシ毛５２と、基布５１の反対面に塗布された粘着層（図示せず）とから概略構成され、前記粘着層をブラシ台部４に貼着することにより、ブラシ体５をブラシ台部４に取り付けている。ブラシ毛５２の長さは均一で、約２０ｍｍに寸法設計されており、前記前方に向けて凸に湾曲した台部４１にブラシ体５が取り付けられることにより、ブラシ毛５２のうち、左右方向中央部の毛先端面が周囲に比べて高くなるように構成されている。すなわち、ブラシ毛５２が左右方向に放射状に広がるように構成されているので、洋服に付着した塵、埃、花粉などを効率良く除去することができる。なお、本発明では、ブラシ毛５２を経糸と緯糸として基布５１に織り込んだ二重パイル織物を使用すれば、パイル密度を高くできるので、洋服に付着した塵、埃、花粉などをより一層効率良く除去することができる。
【００１７】
以上のように構成される洋服ブラシ１は、普段使用しないときには、履物の収納ケースの天板等玄関先の平らな面に握り柄２を立てて置いておく。この場合、ブラシ台装着部３とブラシ台部４がそれぞれ下部にある握り柄２に対して後方に傾斜して設けられているので、安定した自立状態を維持することができ、容易に倒れることはない。また、洋服ブラシ１は玄関先の目に付きやすいところに置かれているので、出かける時や帰宅時に、握り柄２を手に持って洋服に付着した塵、埃、花粉などをブラッシングする習慣を容易に身に付けることができる。
【００１８】
なお、本発明においてブラシ毛５２としては、豚、馬等の公知の天然毛若しくはナイロン繊維等合成繊維を毛状に形成したプラスチック毛であれば特に限定されないが、プラスチック毛の中に公知の導電性繊維を毛状に形成した毛を含ませるようにしてもよい。例えば、ナイロン毛と導電性繊維毛（日本蚕毛染色株式会社製、商品名：サンダーロン（登録商標））をそれぞれ本数で９９〜９５％：１〜５％になるように基布５１に立設したブラシ体５を取り付けた洋服ブラシを使用して洋服をブラッシングした場合、洋服の静電気量を減少させ、これにより空気中に漂っている埃や花粉などを洋服に再付着させにくくすることができる。
【００１９】
また、ブラシ毛５２に浸漬工程及びそれに引き続く乾燥工程など公知の方法により光触媒（酸化チタン）を固定させると、玄関先に洋服ブラシを置いた場合でも抗菌作用と消臭効果が発揮され、ブラシ毛５２を長期間清潔な状態に保つことができる。
【００２０】
さらに、図６に示すように、カバー６を用いてブラシ毛５２を保護することにより、ブラシ毛５２を長期間清潔な状態に保つことができるとともに、カバー６を透光性の樹脂で形成することにより、上記光触媒を固定したブラシ毛５２を用いた場合でも、抗菌作用と消臭効果を発揮させることができる。
【００２１】
以上、本発明について詳細に説明したが、本発明は上記実施形態に限定されるものではなく、本発明の要旨を損なわない範囲で各部材の大きさ、形状などは適宜変更可能である。例えば、ブラシ体５は、本実施形態に示したように、正面視で略長円形状だけに限られず、例えば、楕円形、円形、長方形等任意の形状を選択することができる。そして、ブラシ体５の形状に対応して、ブラシ台部４及びブラシ台装着部３の形状も適宜設計することができる。
【図面の簡単な説明】
【００２２】
【図１】本発明の一実施例を示す自立式洋服ブラシの外観斜視図である。
【図２】図１の洋服ブラシの分解斜視図である。
【図３】図１の洋服ブラシの右側面図である。
【図４】図３の洋服ブラシのうち、ブラシ毛を省略した状態を示す図である。
【図５】図１の洋服ブラシのＡ−Ａ断面図である。
【図６】図１の洋服ブラシにカバーを装着した状態を示す外観斜視図である。
【符号の説明】
【００２３】
１  洋服ブラシ
２  握り柄
３  ブラシ台装着部
３１  前縁部
３２  背板部
３３  周壁部
３４  凹部
３５  開口
４  ブラシ台部
４１  台部
４２  周壁部
４３  突片
５  ブラシ体
５１  基布
５２  ブラシ毛
６  カバー
【図１】
2006075518.tif 000003
【図２】
2006075518.tif 000004
【図３】
2006075518.tif 000005
【図４】
2006075518.tif 000006
【図５】
2006075518.tif 000007
【図６】
2006075518.tif 000008